(57)【要約】【課題】表示装置の高精細化に伴う配線数や論理回路部数の増大を抑え、歩留り良く製造できるようにする。【解決手段】表示パネル１０１と、表示パネル１０１の走査線１６１に走査信号を供給する走査回路部２０１ａと、走査回路部２０１ａにｎ（ｎは２以上の正の整数）ビットの入力数値信号および入力数値信号の反転入力数値信号を供給する走査制御回路部とを備えた表示装置において、入力数値信号および反転入力数値信号が各ビット毎に入力される複数の入力配線から成る入力配線群２１３ａ、入力数値信号および反転入力数値信号を選択的に入力とする走査線１６１数よりも少ない複数の論理回路部２１５ａ、一論理回路部２１５ａからの出力を少なくとも２本の走査線１６１に対応させる出力分配手段２２１ａとを走査回路部に設ける。【選択図】図３
2004163971.tif 000002
【特許請求の範囲】
【請求項１】
複数本の走査線、前記複数本の走査線に交差する複数本の信号線、前記複数本の走査線と前記複数本の信号線との交差位置近傍にそれぞれ配置される複数の画素、および各々対応走査線からの走査信号に応答して対応信号線からの映像データを対応画素に供給する複数のスイッチ素子を含む表示パネルと、前記複数本の走査線に走査信号を供給する走査回路部とを備え、前記走査回路部は順次変化する数値信号を入力する数値信号入力配線群、各々２以上である一定本数の走査線に対して設けられ、前記数値信号入力配線群からの互いに異なる数値信号にそれぞれ応答して出力信号を出力する複数の論理回路部、および第１モードにおいて各論理回路部からの出力信号毎に前記一定本数の走査線から１本の走査線を選択しこの出力信号を走査信号として前記１本の走査線に分配し、第２モードにおいて各論理回路部からの出力信号毎に前記一定本数の走査線から少なくとも２本の走査線を選択しこの出力信号を走査信号として前記少なくとも２本の走査線に分配する出力分配手段を含むことを特徴とする表示装置。
【請求項２】
前記出力分配手段は、前記一定本数の走査線に対する選択信号を入力する複数の選択線と、各々前記複数の論理回路部の１つからの出力信号を前記複数の選択線からの選択信号によって特定される走査線に出力する複数の選択回路とを含むことを特徴とする請求項１に記載の表示装置。
【請求項３】
さらに前記複数本の信号線に映像データを供給する映像信号供給回路部を備え、前記映像信号供給回路部は２以上の一定本数の信号線に対する映像データを映像信号として入力する前記一定本数の映像信号入力線と、各々前記一定本数の映像信号入力線から映像データを抽出して前記複数の信号線において対応する前記一定本数の信号線に出力する複数組のアナログスイッチ手段と、順次変化する数値信号を入力する第２数値信号入力配線群と、前記第２数値信号入力配線群からの互いに異なる数値信号にそれぞれ応答して出力信号を出力する複数の第２論理回路部、および各第２論理回路部からの出力信号を駆動信号として対応組のアナログスイッチ手段に分配する第２出力分配手段とを含むことを特徴とする請求項１に記載の表示装置。
【請求項４】
前記表示パネルの一基板上に前記スイッチ素子および前記走査回路部が一体に形成されていることを特徴とする請求項１に記載の表示装置。
【請求項５】
前記表示パネルの一基板上に前記スイッチ素子、前記走査回路部、および前記映像信号供給回路部が一体に形成されていることを特徴とする請求項３に記載の表示装置。
【請求項６】
前記数値信号は、映像信号の一垂直走査期間における有効走査線数が前記複数の画素の行数に一致する水平画素ライン数よりも少ない場合に、前記映像信号の有効走査線に対応しない少なくとも一水平画素ラインに非表示データを第１期間で表示させ、前記映像信号の前記有効走査線に対応しない他の水平画素ラインに非表示データを前記第１期間と異なる第２期間で表示させるように制御されることを特徴とする請求項１に記載の表示装置。
【請求項７】
表示パネル上に表示された表示画像をスクリーン上に投影する投射光学系がさらに設けられることを特徴とする請求項１に記載の表示装置。
【請求項８】
前記スクリーン上の表示画像が、映像信号の一垂直走査期間における有効走査線数が前記複数の画素の行数に一致する水平画素ライン数よりも少ない場合に、前記映像信号の一垂直走査期間における有効走査線数が前記水平画素ライン数と等しい場合と略一定の大きさとなるよう投射光学系を調節する調節手段がさらに設けられることを特徴とする請求項７に記載の表示装置。
【発明の詳細な説明】
【技術分野】
【０００１】
本発明は、複数の表示画素がマトリクス状に配列される例えば液晶表示装置のような表示装置およびその駆動方法に関する。
【背景技術】
【０００２】
液晶表示装置は、テレビ、コンピュータ用ディスプレイ、電子手帳など多様な分野で使用されており、特に液晶表示装置は軽量、薄型、低消費電力の特徴から注目を集めている。
【０００３】
例えば液晶プロジェクタは、光源からの白色光をダイクロイックミラー等によって赤、緑、および青の３原色に分光し、これら色成分の光を独立した３個の液晶表示装置にそれぞれ入射させ、これらに赤、緑、および青の画像を表示させ、さらにこれら表示画像を光学的に再び合成して透過性もしくは反射性のスクリーン上に投射することによりカラー表示を行なう。
【０００４】
液晶プロジェクタ用の液晶表示装置は、入射光学系や投射光学系を大型化させないために小型化することが必須の要件となる。また、液晶表示装置の表示画像は拡大してスクリーン上に投射されるため、表示装置の小型化だけでなく表示画素のピッチを微細化する必要もある。
【０００５】
このような液晶表示装置では、複数の表示画素で構成される表示パネルとこれら表示画素を駆動する駆動回路部とを基板上において一体的に形成し、表示パネルと駆動回路部との接続の煩わしさを解消する試みが成されている。
【０００６】
ところで、上述した表示装置の駆動回路部は、一般に複数のシフトレジスタが一列に接続されたシフトレジスタ列を主体として構成される。これは、例えば非特許文献１において開示される。
【０００７】
しかしながら、シフトレジスタ列はこれらシフトレジスタを順次介して信号を転送する形態であるが故に、断線あるいは短絡等の欠陥がシフトレジスタ列の一部に存在すると、下流の全シフトレジスタは動作不良となる。
【０００８】
これを解消するため、例えば特許文献１は、シフトレジスタを主体として構成される駆動回路部に代えて、クロックパルスをカウントした２進カウント値およびその反転出力に基づいて順次パルスを出力する一対のデコーダから成る駆動回路を表示装置の駆動回路部として用いることを開示する。
【０００９】
このようにデコーダを主体として駆動回路部を構成すれば、配線途中に断線あるいは短絡等の欠陥が存在しても、不良箇所に対応する出力のみが得られないだけであって、例えば一対のデコーダを駆動回路部に冗長的に設けることで十分な信頼性の確保が可能となる。
【特許文献１】特開昭６２−２７１５６９号
【非特許文献１】SID 93 DIGEST p.383-p.386 "A 1.9-in.1.5-MPixel Driver Fully-Integrated Poly-Si TFT-LCD for HDTV Projection"
【発明の開示】
【発明が解決しようとする課題】
【００１０】
しかしながら、特許文献１に開示される構成にあっては、デコーダが各々一走査線あるいは一信号線に対応して設けられる複数の論理回路部を持つため、表示装置の高精細化に伴って数値信号を伝達する配線数に加えて論理回路部数が著しく増大し、逆に製造歩留りを低下させてしまう。さらに、各論理回路部が一走査線あるいは一信号線に対応して配置されると、表示装置の高精細化に伴う高速動作に十分対処することが難しくなる。
【００１１】
例えば映像信号の有効走査線数が表示パネルの水平画素ライン数よりも少ない場合に、映像信号の有効走査線に対応せずに余った表示パネルの水平画素ラインを垂直帰線期間等において走査して黒ブランクを表示させる方法が知られている。しかしながら、上述の構成において、これら余りの水平画素ラインの全てを極めて短時間で走査することは困難であり、確実な黒表示を期待できない。
【００１２】
本発明は、上述した技術課題に対処して成されたものであって、動作不良が著しく低減される表示装置を提供することを目的としている。
【００１３】
また、本発明の他の目的は、表示パネルの水平画素ライン数と映像信号の有効走査線数、あるいは一水平画素ラインを構成する表示画素数と映像信号の映像データ数とが相違している場合であっても、良好な表示画像が得られる表示装置およびその駆動方法を提供することにある。
【課題を解決するための手段】
【００１４】
本発明の表示装置は、マトリクス状に配置される複数本の信号線および複数本の走査線，前記信号線と前記走査線とに電気的に接続される複数のスイッチ素子，前記スイッチ素子のそれぞれに接続される画素電極とを備えた表示パネルと、前記走査線に走査信号を供給する走査回路部と、前記走査回路部にｎ（ｎは２以上の正の整数）ビットの入力数値信号および前記入力数値信号の反転入力数値信号を供給する走査制御回路部とを備えた表示装置であって、前記走査回路部は、前記入力数値信号および前記反転入力数値信号が各ビット毎に入力される複数の入力配線から成る入力配線群、前記入力数値信号および前記反転入力数値信号を選択的に入力とする前記走査線数よりも少ない複数の論理回路部、一前記論理回路部からの出力を少なくとも２本の前記走査線に対応させる出力分配手段とを備えたことを特徴としている。
【００１５】
また、本発明の表示装置は、マトリクス状に配置される複数本の信号線および複数本の走査線，前記信号線と前記走査線とに電気的に接続されるスイッチ素子，前記スイッチ素子に接続される画素電極とを備えた表示パネルと、ｎ（ｎは２以上の正の整数）ビットの入力数値信号および前記入力数値信号の反転入力数値信号を発生する選択制御回路部と、前記選択制御回路部からの前記入力数値信号および前記反転入力数値信号に基づいて入力される映像信号を所定のタイミングで選択し前記信号線に映像データとして供給する映像信号供給回路部とを備えた表示装置であって、前記映像信号供給回路部は、前記入力数値信号および前記反転入力数値信号が各ビット毎に入力される複数の入力配線から成る入力配線群、前記入力数値信号および前記反転入力数値信号を選択的に入力とする前記信号線数よりも少ない複数の論理回路部、一前記論理回路部からの出力を少なくとも２本の前記信号線に対応させる出力分配手段とを備えたことを特徴としている。
【００１６】
また、本発明の表示装置の駆動方法は、複数の表示画素から成る水平画素ラインが複数本配列されて成る表示パネルに映像信号の映像データに基づく表示画像を形成する表示装置の駆動方法において、前記映像信号の一垂直走査期間における有効走査線数が対応する前記水平画素ライン数よりも少ない場合、前記映像信号の前記有効走査線に対応しない少なくとも一前記水平画素ラインに非表示データを一垂直走査期間の属する第１期間で表示すると共に、前記映像信号の前記有効走査線に対応しない他の前記水平画素ラインに非表示データを前記垂直層走査期間と異なる他の一垂直走査期間の属する第２期間で表示することを特徴としている。さらに、本発明の表示装置の駆動方法は、複数の表示画素から成る水平画素ラインが複数本配列されて成る表示パネルに映像信号の映像データに基づく表示画像を形成する表示装置の駆動方法において、前記映像信号の一水平走査期間の映像データ数が一前記水平画素ラインの表示画素数よりも少ない場合、前記映像データに対応しない少なくとも一前記表示画素に非表示データを第１期間で表示すると共に、前記映像データに対応しない他の前記表示画素に非表示データを前記第１期間と異なる第２期間で表示することを特徴としている。
【発明の効果】
【００１７】
本発明の表示装置によれば、走査回路部あるいは映像信号供給回路部が選択制御回路部からの入力数値信号に基づいて選択出力する走査線数あるいは信号線数よりも少ない論理回路部により構成されているため、表示装置の高精細化に対しても、数値信号を伝達する配線数や論理回路部数の増大を抑え、製造歩留り良く製造できる。しかも、論理回路部数が少なく構成されるため、数値信号の動作周波数を低く抑えることができ、素子設計に余裕を持たせることができる。
【００１８】
また、本発明の表示装置の駆動方法によれば、表示パネルの水平画素ライン数と映像信号の有効走査線数、あるいは一水平画素ラインを構成する表示画素数と映像信号の映像データ数とが相違している場合であっても、例えば映像信号の有効走査線に対応しない少なくとも一水平画素ラインに非表示データを第１期間で表示すると共に、映像信号の有効走査線に対応しない他の水平画素ラインに非表示データを第１期間と異なる第２期間で表示する、あるいは映像データに対応しない少なくとも一表示画素に非表示データを第１期間で表示すると共に、映像データに対応しない他の表示画素に非表示データを第１期間と異なる第２期間で表示することにより、非表示領域には非表示データの表示が可能となる。
【００１９】
そして、表示装置の走査回路部あるいは映像信号供給回路部を選択制御回路部からの入力数値信号に基づいて選択出力する論理回路部により構成することで、上述した駆動方法を簡単な構成で、しかも容易に実現できる。
【発明を実施するための最良の形態】
【００２０】
以下、本発明の一実施例に係る液晶プロジェクタを図面を参照して説明する。
【００２１】
図１はこの液晶プロジェクタ１の構成を概略的に示す。この液晶プロジェクタ１は、光源２、光源２の背面に発射される光源光を反射する反射鏡３、光源２からの光源光を絞る第１のアパーチャーマスク４、このアパーチャーマスク４を通過した光源光を平行光にするための光源光学レンズ５、この光源光学レンズ５を通過した光源光に含まれる赤色成分Ｒのみを反射し緑および青色成分ＧおよびＢを透過する第１のダイクロイックミラー７、第１のダイクロイックミラー７で反射された赤色成分Ｒを赤表示用の液晶表示装置１０１に導く第１の反射ミラー１１、第１のダイクロイックミラー７を透過した透過光から緑色成分Ｇのみを反射し緑表示用の液晶表示装置５０１に導くと共に青色成分Ｂを透過して青表示用の液晶表示装置６０１に導く第２のダイクロイックミラー９、液晶表示装置１０１を透過した映像に液晶表示装置５０１を透過した映像を合成するための第３のダイクロイックミラー１３、液晶表示装置１０１を透過した映像に液晶表示装置６０１を透過した映像を合成するための第２の反射ミラー１５および第４のダイクロイックミラー１７を備える。こうして合成された映像は集光レンズ１９で集光され、第２のアパーチャーマスク２１の開口を通過した後、投射レンズ３１によってスクリーン４１上に投影される。
【００２２】
図２は図１に示す液晶表示装置１０１の構成を概略的に示す。他の液晶表示装置５０１および６０１は液晶表示装置１０１と略同一構造であるため、これらの説明を省略する。
【００２３】
液晶表示装置１０１は一対の電極基板１１１および１９１と、これらの間に保持された高分子分散型ネマチック液晶層１０３とを有する。この液晶層１０３は高分子樹脂材料と、この高分子樹脂材料中に分散された正の誘電率異方性のネマチック液晶とで構成される。
【００２４】
一方の電極基板１１１は、石英の透明絶縁基板上において液晶層１０３の左側および右側に配置される冗長的な１組の走査線駆動回路２０１ａおよび２０１ｂと、液晶層１０３の上側および下側に配置される冗長的な１組の映像信号線駆動回路３０１ａおよび３０１ｂと、１組の走査線駆動回路２０１ａおよび２０１ｂのそれぞれに接続される１０３５本の走査線１６１（Ｙj：j=1,2,…,1035）、１組の映像信号線駆動回路３０１ａおよび３０１ｂに接続される１８４０本の映像信号線１６３（Ｘi：i=1,2,…,1840）を備えている。そして、この走査線１６１にゲートが、映像信号線１６３にドレインが電気的に接続される多結晶シリコンからなる薄膜トランジスタ（以下、ＴＦＴと略称する。）１６５、このＴＦＴ１６５のソースに電気的に接続されるＩＴＯ（Indium-Tin-Oxide）から成る画素電極１６７、さらに画素電極１６７に電気的に並列に接続される補助容量ＣＳを形成するため走査線１６１と略平行に配置される補助容量線１６９が一体に配置されて構成されている。
【００２５】
また、他方の電極基板１９１は、透明絶縁基板上にＩＴＯから成る共通電極１９５が配置されて構成されている。
【００２６】
液晶表示装置１０１、５０１、および６０１の各々は、画素電極１６７と共通電極１９５の間に保持される高分子分散型ネマチック液晶層１０３によって構成される一表示画素を走査線１６１方向に１８４０個配列されて構成される水平画素ラインを１０３５本備えており、各液晶表示装置１０１、５０１、および６０１を透過し投影される表示画像も同様である。
【００２７】
次に、図３を参照して一方の走査線駆動回路２０１ａについて説明する。尚、この実施例では一組の走査線駆動回路２０１ａおよび２０１ｂは略同一構造であるため他方の走査線駆動回路２０１ｂの説明は省略する。
【００２８】
この走査線駆動回路２０１ａは、数値信号変換回路部２１１ａ、数値信号変換回路部２１１ａに接続される走査選択回路部２２１ａ、走査選択回路部２２１ａに接続されるバッファアンプ２３１ａ、バッファアンプ２３１ａに接続される出力制御回路部２４１ａとから構成されている。
【００２９】
数値信号変換回路部２１１ａは、１０ビットのディジタル数値信号ＳＡ１−ＳＡ１０を供給する１０本の非反転信号線およびこれらディジタル数値信号ＳＡ１−ＳＡ１０を反転したディジタル数値信号ＳＡ１１−ＳＡ２０を供給する１０本の反転信号線で構成される２０本の数値信号線２１２ａと、各々一組の３入力ノア・ゲートＮＯ１−ＮＯ４を含む複数段の論理回路部２１５ａと、各々共通ビットにおいて非反転信号線および反転信号線から選択される一方を対応段の論理回路部２１５ａの３入力ノア・ゲートＮＯ１−ＮＯ４に接続する複数段のマトリクス配線部２１３ａとで構成される。
【００３０】
１０ビット分の非反転信号線および反転信号線は各マトリクス配線部２１３ａ毎に異なる組み合わせで選択される。例えば第１段目のマトリクス配線部２１３ａでは、第１０ビット（２９）の非反転信号線、第９ビット（２８）の非反転信号線、第８ビット（２７）の非反転信号線、第７ビット（２６）の非反転信号線、第６ビット（２５）非反転信号線、第５ビット（２４）の非反転信号線，第４ビット（２３）の非反転信号線、第３ビット（２２）の非反転信号線、第２ビット（２１）の非反転信号線、第１ビット（２０）の反転信号線が選択される。第２段目のマトリクス配線部２１３ａでは、第１０ビット（２９）の非反転信号線、第９ビット（２８）の非反転信号線、第８ビット（２７）の非反転信号線、第７ビット（２６）の非反転信号線、第６ビット（２５）非反転信号線、第５ビット（２４）の非反転信号線，第４ビット（２３）の非反転信号線、第３ビット（２２）の非反転信号線、第２ビット（２１）の反転信号線、第１ビット（２０）の非反転信号線が選択される。
【００３１】
論理回路部２１５ａの段数は、例えば走査線１６１（Ｙj：j=1,2,…,1035）の数である１０３５本に比べて少ない５１８段で構成される。各段の論理回路は、４個の３入力ノア・ゲートＮＯ１−ＮＯ４、２個の２入力ナンド・ゲートＮＡ１およびＮＡ２、１個の２入力ノア・ゲートＮＯ５をとによって構成される。ノア・ゲートＮＯ１およびＮＯ２の出力端子はナンド・ゲートＮＡ１の第１および第２入力端子にそれぞれ接続される。ノア・ゲートＮＯ３およびＮＯ４の出力端子はナンド・ゲートＮＡ２の第１および第２入力端子にそれぞれ接続される。ナンド・ゲートＮＡ１およびＮＡ２の出力端子はノア・ゲートＮＯ５の第１および第２入力端子にそれぞれ接続される。
【００３２】
各論理回路部２１５ａのノア・ゲートＮＯ５の出力信号は走査選択回路部２２１ａに導かれている。走査選択回路部２２１ａにおいて、各論理回路部２１５ａのノア・ゲートＮＯ５の出力信号は３分割され、それぞれ第１、第２、および第３の２入力ナンド・ゲートＮＡ３−ＮＡ５の第１入力端子に供給される。これらナンド・ゲートＮＡ３−ＮＡ５の第２入力端子はそれぞれ３本の走査選択線Ａ、Ｂ、およびＣに接続される。第１ナンド・ゲートＮＡ３の出力端子は前段の論理回路部２１５ａ用のナンド・ゲートＮＡ５に対して共通に設けられた２入力ノア・ゲートＮＯ６の第２入力端子に接続される。第２ナンド・ゲートＮＡ４の出力端子は２入力ノア・ゲートＮＯ７の第１入力端子に接続される。このノア・ゲートＮＯ７の第２入力端子はＯＮレベルに設定される電源端子に接続される。第３ナンド・ゲートＮＡ５の出力端子は後段の論理回路部２１５ａ用のナンド・ゲートＮＡ３に対して共通に設けられる他の２入力ノア・ゲートＮＯ６の第１入力端子に接続される。
【００３３】
ノア・ゲートＮＯ６およびＮＯ７の出力信号はそれぞれバッファ・アンプ２３１ａを介して出力制御回路部２４１ａに導かれる。これら出力制御回路部２４１ａは出力制御信号線Ｇ０およびＧ１をそれぞれ介して供給される出力制御信号ＶＧ０およびＶＧ１によって制御される。出力制御信号ＶＧ１は出力制御信号ＶＧ０を反転した信号であり、出力制御回路部２４１ａはこれら出力制御信号ＶＧ０およびＶＧ１に基づいてバッファ・アンプ２３１ａを走査線１６１に接続するかどうか決定する。
【００３４】
すなわち、一方の走査線駆動回路２０１ａに動作不良が生じた場合等、走査線駆動回路２０１ａと走査線１６１との電気的な接続を絶ち、走査線駆動回路２０１ａの不所望な影響なく他方の走査線駆動回路２０１ｂで動作させることができる。
【００３５】
この走査線駆動回路２０１ａによりテレビジョン放送等の映像信号ＶＳの表示に適した２走査線を１組とし、奇数フィールド期間と偶数フィールド期間とで同時に選択する走査線の組み合わせが異なるように選択走査する２ライン同時駆動する場合について図４を参照して説明する。
【００３６】
数値信号線２１２ａには、図４（ａ）に示すように、カウンタ回路から２水平走査期間毎に｛０００００００００１｝，｛００００００００１０｝，｛００００００００１１｝…と順次加算される１０ビットのディジタル数値信号ＳＡ１−ＳＡ１０が各ビット毎に数値信号線２１２ａのうちの２９信号線、２８信号線、２７信号線、２６信号線、２５信号線、２４信号線、２３信号線、２２信号線、２１信号線線、２０信号線に出力されると共に、図示しないがカウンタ回路から反転出力回路を介して｛１１１１１１１１１０｝，｛１１１１１１１１０１｝，｛１１１１１１１１００｝…と順次減算される１０ビットの反転ディジタル数値信号ＳＡ１１−ＳＡ２０が数値信号線２１２ａのうちの２９反転信号線、２８反転信号線、２７反転信号線、２６反転信号線、２５反転信号線、２４反転信号線、２３反転信号線、２２反転信号線、２１反転信号線、２０反転信号線に出力される。例えば、図４（ａ）に示すようにカウンタ回路から出力されるディジタル数値信号ＳＡ１−ＳＡ１０が｛０００００００００１｝の時には、２９信号線、２８信号線、２７信号線、２６信号線、２５信号線、２４信号線、２３信号線、２２信号線、２１信号線および２０反転信号線の各々には｛０｝が、また２９反転信号線、２８反転信号線、２７反転信号線、２６反転信号線、２５反転信号線、２４反転信号線、２３反転信号線、２２反転信号線、２１反転信号線および２０信号線の各々には｛１｝がそれぞれ印加される。
【００３７】
従って、ディジタル数値信号ＳＡ１−ＳＡ１０として｛０００００００００１｝の入力に対しては、図４（ｂ）に示すように数値信号変換回路部２１１ａの第１段目からの出力Ｓ１のみが得られる。また、同様に、カウンタ回路からのディジタル数値信号ＳＡ１−ＳＡ１０が｛００００００００１０｝の時には、数値信号線２１２ａのうちの２９信号線、２８信号線、２７信号線、２６信号線、２５信号線、２４信号線、２３信号線、２２信号線、２０信号線および２１反転信号線の各々に｛０｝が印加され、２９反転信号線、２８反転信号線、２７反転信号線、２６反転信号線、２５反転信号線、２４反転信号線、２３反転信号線、２２反転信号線、２０反転信号線および２１信号線の各々に｛１｝が印加される。従って、このディジタル数値信号｛００００００００１０｝の入力に対しては、数値信号変換回路部２１１ａの第２段目からの出力Ｓ２のみが得られる。
【００３８】
また、同図（ｃ）に示すように、第１走査選択線Ａには第１フィールド期間ではＯＮレベルをとり第２フィールドではＯＦＦレベルをとる選択信号ＶＡが、第２走査選択線Ｂには一定のＯＮレベルをとる選択信号ＶＢが、また第３走査選択線Ｃには選択信号ＶＡと逆位相の選択信号ＶＣが印加されている。
【００３９】
従って、数値信号変換回路部２１１ａからの出力Ｓと各走査選択線Ａ、Ｂ、およびＣの各選択信号ＶＡ、ＶＢ、およびＶＣとによって、各走査線１６１からは同図（ｄ）に示すように各水平走査期間に隣接する２走査線１６１に走査信号ＶＹjが出力される。そして、第１フィールド期間と第２フィールド期間とでは、同時に選択される２つの走査線１６１の組み合わせが異ならしめられる。
【００４０】
次に、テレビジョン放送等の映像信号ＶＳの表示に適するよう走査線駆動回路２０１ａにより奇数フィールド期間で奇数走査線を、偶数フィールド期間で偶数走査線をそれぞれ１本おきに選択走査するインターレース駆動の場合について図５を参照して説明する。
【００４１】
数値信号線２１２ａに上述したと同様に、図５（ａ）に示すように１０ビットのディジタル数値信号ＳＡ１−ＳＡ１０と１０ビットの反転ディジタル数値信号ＳＡ１１−ＳＡ２０が入力されると、数値信号変換回路部２１１ａの各段からは図５（ｂ）に示される出力Ｓが得られる。
【００４２】
また、同図（ｃ）に示すように、第１走査選択線Ａには第１フィールド期間ではＯＮレベルをとり第２フィールド期間ではＯＦＦレベルをとる選択信号ＶＡが、第２走査選択線Ｂには選択信号ＶＡと逆位相の選択信号ＶＢが、また第３走査選択線Ｃには一定のＯＦＦレベルをとる選択信号ＶＣが印加されている。
【００４３】
従って、数値信号変換回路部２１１ａからの出力と走査選択線Ａ、Ｂ、およびＣの選択信号ＶＡ、ＶＢ、およびＶＣとによって、走査線１６１からは同図（ｄ）に示すように各水平走査期間に１走査線おきに走査信号ＶＹjが出力される。そして、第１フィールド期間と第２フィールド期間とでは選択される走査線１６１が異ならしめられる。
【００４４】
また、コンピュータ信号等の映像信号ＶＳの表示に適するようこの走査線駆動回路２１１ａにより各垂直走査期間で全走査線を順次選択走査する順次走査駆動の場合について図６を参照して説明する。
【００４５】
数値信号線２１２ａに上述したと同様に、図６（ａ）に示すように１０ビットのディジタル数値信号ＳＡ１−ＳＡ１０と１０ビットの反転ディジタル数値信号ＳＡ１１−ＳＡ２０が入力されると、図６（ｂ）に示すように数値信号変換回路部２１１ａの各段からは図６（ｂ）に示される出力Ｓが得られる。
【００４６】
また、同図（ｃ）に示すように、第１走査選択線Ａには１周期を１／２水平走査期間とする選択信号ＶＡが、第２走査選択線Ｂには選択信号ＶＡと逆位相の選択信号ＶＢが、また第３走査選択線Ｃには一定のＯＦＦレベルをとる選択信号ＶＣが印加されている。
【００４７】
従って、数値信号変換回路部２１１ａからの出力と走査選択線Ａ、Ｂ、およびＣの選択信号ＶＡ、ＶＢ、およびＶＣとによって、走査線１６１からは同図（ｄ）に示すように１水平走査期間に２走査線を順次選択走査する走査信号ＶＹjが出力される。
【００４８】
以上のようにして、入力されるディジタル数値信号ＳＡ１−ＳＡ１０と走査選択線Ａ、Ｂ、およびＣに入力される選択信号ＶＡ、ＶＢ、およびＶＣとに対応して、２ライン同時駆動、インターレース駆動および順次走査駆動のそれぞれが選択できる。
【００４９】
次に、図７を参照して、液晶表示装置１０１の映像信号線駆動回路３０１ａについて説明する。尚、この実施例では一組の映像信号線駆動回路３０１ａおよび３０１ｂは略同一構造であるため映像信号線駆動回路３０１ｂの説明を省略する。
【００５０】
この映像信号線駆動回路３０１ａは、マトリクス配線部３１３ａと論理回路部３１５ａとから成る数値信号変換回路部３１１ａ、数値信号変換回路部３１１ａに接続されるバッファアンプ３２１ａ、バッファアンプ３２１ａに接続される出力制御回路部３３１ａ、出力制御回路部３３１ａに接続される映像信号選択回路部３４１ａ、映像信号選択回路部３４１ａの出力に接続される保持容量部３５１ａとから構成されている。
【００５１】
数値信号変換回路部３１１ａは、９ビットのディジタル数値信号ＤＡ１−ＤＡ９を供給する９本の非反転信号線およびこれらディジタル数値信号ＤＡ１−ＤＡ９を反転した反転ディジタル数値信号ＤＡ１０−ＤＡ１８を供給する９本の反転信号線で構成される１８本の数値信号線３１２ａと、各々一組の３入力ナンド・ゲートＮＡ１−ＮＡ３を含む複数段の論理回路部３１５ａと、各々共通ビットにおいて非反転信号線および反転信号線から選択される一方を対応段の論理回路部３１５ａの３入力ナンド・ゲートＮＡ１−ＮＡ３に接続する複数段のマトリクス配線部３１３ａとで構成される。
【００５２】
９ビット分の非反転信号線および反転信号線は各マトリクス配線部３１３ａ毎に異なる組み合わせで選択される。例えば第１段目のマトリクス配線部３１３ａでは、第９ビット（２８）の反転信号線、第８ビット（２７）の反転信号線、第７ビット（２６）の反転信号線、第６ビット（２５）の反転信号線、第５ビット（２４）の反転信号線、第４ビット（２３）の反転信号線、第３ビット（２２）の反転信号線、第２ビット（２１）の反転信号線、第１ビット（２０）の非反転信号線が選択される。第２段目のマトリクス配線部３１３ａでは、図示しないが第９ビット（２８）の非反転信号線、第８ビット（２７）の非反転信号線、第７ビット（２６）の非反転信号線、第６ビット（２５）の非反転信号線、第５ビット（２４）の非反転信号線、第４ビット（２３）の非反転信号線、第３ビット（２２）の非反転信号線、第２ビット（２１）の反転信号線、第１ビット（２０）の非反転信号線が選択される。
【００５３】
各論理回路部３１５ａは、３個の３入力ナンド・ゲートＮＡ１−ＮＡ３および１個の３入力ノア・ゲートＮＯ１とによって構成される。ナンド・ゲートＮＡ１−ＮＡ３の出力端子は１個の３入力ノア・ゲートＮＯ１の第１、第２、および第３入力端子にそれぞれ接続される。各論理回路部３１５ａのノア・ゲートＮＯ１の出力信号はバッファアンプ３２１ａを介して出力制御回路部３３１ａに導かれる。この出力制御回路不３３１ａにおいて、各論理回路部３１５ａのノア・ゲートＮＯ１の出力信号は８分割され、８個の２入力ノア・ゲートＮＯ２の第１入力端子にバッファアンプ３３３ａを介してそれぞれ供給される。出力制御線Ｇ２はこれらノア・ゲートＮＯ２の第２入力端子に接続される。
【００５４】
これらノア・ゲートＮＯ２の出力信号は出力制御回路部３３１ａの出力信号として映像信号選択回路部３４１ａに導かれ、映像信号選択回路部３４１ａにおいて映像データ選択用に設けられた８個のアナログスイッチ３４３ａのゲートに入力される。これらアナログスイッチ３４３ａのドレインは８本の映像信号入力線３４５ａにそれぞれ接続され、出力制御回路部３３１ａからの各出力ＳのＯＮ期間の間、アナログスイッチ３４３ａのソースから映像信号ＶＳ１，…，ＶＳ８がサンプリング出力される仕組みとなっている。映像信号選択回路部３４１ａによりサンプリングされた各映像データＶＤはこれを保持する保持容量部３５１ａを介して対応する映像信号線１６３に供給される。
【００５５】
この映像信号線駆動回路３０１ａの動作について図８を参照して説明する。
【００５６】
図８（ａ）に示すように、９ビットのディジタル数値信号ＤＡ１−ＤＡ９は各表示画素に対応する映像信号線１６３に映像データＶＤを選択出力するタイミングでカウンタ回路等（図示せず）によって順次加算される。各タイミングにおいて、ディジタル数値信号ＤＡ１−ＤＡ９が数値信号線３１２ａのうちの２８信号線、２７信号線、２６信号線、２５信号線、２４信号線、２３信号線、２２信号線、２１信号線、２０信号線にカウンタ回路等（図示せず）によって出力されると、ディジタル数値信号ＤＡ１−ＤＡ９の反転信号ＤＡ１０−ＤＡ１８が図示しない反転出力回路から数値信号線３１２ａのうちの２９反転信号線、２８反転信号線、２７反転信号線、２６反転信号線、２５反転信号線、２４反転信号線、２３反転信号線、２２反転信号線、２１反転信号線、２０反転信号線に出力される。
【００５７】
例えば、カウンタ回路からのディジタル数値信号ＤＡ１−ＤＡ９が｛００００００００１｝の時には、２８信号線、２７信号線、２６信号線、２５信号線、２４信号線、２３信号線、２２信号線、２１信号線、および２０反転信号線には｛０｝が、また２９反転信号線、２８反転信号線、２７反転信号線、２６反転信号線、２５反転信号線、２４反転信号線、２３反転信号線、２２反転信号線、２１反転信号線、および２０信号線には｛１｝がそれぞれ印加される。従って、このディジタル数値信号ＤＡ１−ＤＡ９が｛０００００００００１｝の入力に対しては、同図（ｂ）に示すように出力制御回路部３３１ａの第１段目から出力Ｓ１が得られる。
【００５８】
また、８本の各映像データ線３４５ａには、同図（ｃ）に示すような映像信号ＶＳ１，…，ＶＳ８が入力される。
【００５９】
従って、出力制御回路部３３１ａの第１段目からの出力Ｓ１がＯＮ期間の間、第１から第８の映像データ選択用のアナログスイッチ３４３ａが同時に選択され、第１から第８の映像信号線１６３に各映像データＶＤ１，…，ＶＤ８が出力される。
【００６０】
また、出力制御回路部３３１ａの第２段目からの出力Ｓ２がＯＮ期間の間、第９から第１６の映像データ選択用のアナログスイッチ３４３ａが同時に選択され、第９から第１６の映像信号線１６３に各映像データＶＤ９，…，ＶＤ１６が出力される。
【００６１】
このようにして、各水平走査期間毎に１８４０本の映像信号線１６３に映像データＶＤ１，…，ＶＤ１８４０が出力される。
【００６２】
以上のようにして、走査線１６１が選択されている期間、映像信号線１６３に出力される映像データＶＤがＴＦＴ１６５を介して画素電極１６７に書き込まれ、画素電極１６７と共通電極１９５との間の電位差が次に走査線１６１が選択されるまでの期間保持され、表示がなされる。
【００６３】
次に、この液晶表示装置１０１の水平画素ライン数あるいは一水平画素ラインを構成する表示画素数よりも映像信号ＶＳの有効走査線数および映像データＶＤ数が少ない、例えば図９に示すように映像信号ＶＳの有効映像データＶＤ数が一有効走査線につき１０２４、有効走査線数が７６８本の表示を実現する場合について説明する。
【００６４】
ここでは、例えば図９に示すように、表示画面の上下にそれぞれ１４０本、１２７本の水平画素ラインからなる非表示領域９０１および９０３を設け、また左右にそれぞれ４０８個の表示画素から成る非表示領域９０５および９０７を設けて、表示画面の略中央部分に、例えば図６に示す順次駆動により表示領域７００を設けて表示する場合について説明する。
【００６５】
図２に示す走査線駆動回路２０１ａは、第１のフィールド期間中の一垂直走査期間には｛０００１０００１１１｝から｛０１１１０００１１０｝まで順次増加するＲＯＭからの１０ビットのデジタル数値信号ＳＡ１−ＳＡ１０に基づいて、第１４１番目から第９０８番目の水平画素ラインを順次選択すると共に、第１のフィールド期間中の第１の垂直帰線期間には｛０００００００００１｝から｛００００１１１０｝まで順次増加するＲＯＭからの１０ビットのデジタル数値信号ＳＡ１−ＳＡ１０に基づいて第１ブロック７０１として第１から２８の水平画素ラインが順次走査され、以降の第５のフィールド期間中の第５の垂直帰線期間には｛００００１１１００１｝から｛０００１０００１１０｝まで順次増加するＲＯＭからの１０ビットのデジタル数値信号ＳＡ１−ＳＡ１０に基づいて第５ブロック７０５として第１１３から１４０の水平画素ラインが順次走査され、第６のフィールド期間中の第６の垂直帰線期間には｛０１１１０００１１１｝から｛０１１１０１０１００｝まで順次増加するＲＯＭからの１０ビットのデジタル数値信号ＳＡ１−ＳＡ１０に基づいて第６ブロック７０６として第９０９から９３６の水平画素ラインが順次走査され、以降の第１０のフィールド期間中の第１０の垂直帰線期間には｛０１１１１１１１１１｝から｛１００００００１１０｝まで順次増加するＲＯＭからの１０ビットのデジタル数値信号ＳＡ１−ＳＡ１０に基づいて第１０ブロック７１０として第１０２１から１０３５の水平画素ラインを順次走査する。
【００６６】
映像信号線駆動回路３０１ａの映像入力線３４５ａには、一水平走査期間の間には、第４０９番目から第１４３２番目の表示画素に対応する１０２４の映像データＶＤと共に、その水平帰線期間に第１から第４０８の非表示画素に対応する非表示データＶＢ、第１４３３から第１８４０の非表示画素に対応する非表示データＶＢを含む映像信号が入力される。
【００６７】
また、映像入力線３４５ａには、各フィールド期間の各垂直帰線期間には、１８４０の表示画素に対応する非表示データＶＢが入力される。
【００６８】
これにより、一垂直走査期間で第１３６番目から第９０３番目の水平画素ラインが順次選択され、その垂直帰線期間内に第１ブロック７０１として第１から２８の水平画素ラインに非表示データＶＢが表示される。これが順次繰り返され、１０個のブロックに分割された非表示領域９０１および９０３の全てに非表示データＶＢが表示される。
【００６９】
ところで、第１から第４０８の非表示画素に対応する非表示データＶＢ、第１４３３から第１８４０の非表示画素に対応する非表示データＶＢ）を各水平帰線期間内に転送することが時間的に困難な場合がある。このような場合は、第１から第４０８の非表示画素に対応する非表示データＶＢ、第１４３３から第１８４０の非表示画素に対応する非表示データＶＢの全てを同一の一水平走査期間に表示させるのではなく、複数のブロックに区分して表示してもよい。
【００７０】
例えば、第１フィールド期間中の一垂直走査期間に第１から第８０の非表示画素に対応する非表示データＶＢを各水平帰線期間に転送して表示させ、第２フィールド期間中の一垂直走査期間に第８１から第１６０の非表示画素に対応する非表示データＶＢを各水平帰線期間内に転送して表示させ、以降第１１フィールド期間中の一垂直走査期間に第１７５２から第１８４０の非表示画素に対応する非表示データＶＢを各水平帰線期間内に転送して表示させることで非表示領域９０１および９０３を形成しても良い。
【００７１】
また、各フィールド期間、各水平画素列で非表示データに対応する非表示画素が上述したように等しくなる必要はなく、それぞれ異なっていても良い。たとえば、第１フィールド期間中、第１４１番目から第１４２番目の水平画素ラインについては第１から第８０の非表示画素に非表示データＶＢを表示させ、第１４３番目から第１４４番目の水平画素ラインについては第８１から第１４６の非表示画素に非表示データＶＢを表示させ、第１４５番目から第１４２番目の水平画素ラインについては第１６１から第２４０の非表示画素に非表示データＶＢを表示させるというように、非表示領域を複数のブロックに区分し、しかも水平画素ライン毎に非表示データを表示する非表示画素が異なるようにしても良い。このようにすれば、例えば第１４３番目から第１４４番目の水平画素ラインについてみると、第１から第８０の非表示画素に対応する非表示データＶＢが第１４１番目から第１４２番目の水平画素ラインの表示時に保持容量部３５１ａに保持され、残存しているため、第１から第８０の非表示画素に対応する非表示データＶＢを転送させる必要なく、第１から第８０の非表示画素に非表示データＶＢが表示されると共に、第８１から第１６０の非表示画素に非表示データＶＢが表示される。
【００７２】
上述した如く液晶表示装置１０１を構成することにより、走査線駆動回路２０１ａおよび２０１ｂおよび映像信号駆動回路３０１ａおよび３０１ｂに入力されるディジタル数値信号をそれぞれ制御することにより、容易に表示領域７００を表示画面の略中央に配置させることができる。
【００７３】
しかも、映像信号駆動回路３０１ａおよび３０１ｂについてみると、保持容量部３５１ａのメモリ機能をうまく用いることにより、各水平画素ラインの非表示画素が多くても、特別なフレームメモリ等を要することなく、非表示領域を形成することができる。
【００７４】
また、一垂直走査期間に第１３６番目〜第９０３番目の水平画素ラインを選択し、第１の垂直帰線期間に第１ブロックとして第１，１１，２１，…の水平画素ライン、第２の垂直帰線期間に第２ブロックとして第２，１２，２２，…の水平画素ライン、第３の垂直帰線期間に第３ブロックとして第３，１３，２３，…の水平画素ライン、…第１０の垂直帰線期間に第１０ブロックとして第１０，２０，３０，…の水平画素ラインが順次選択されるようにディジタル数値信号ＳＡ１−ＳＡ２０を選定しても良い。
【００７５】
このように非表示領域９０１および９０３を分割して駆動することにより、前述した手法に比べて一垂直帰線期間に選択される非表示領域９０１および９０３を構成する水平画素ラインが表示画面中に均一に分散されるため、非表示領域９０１および９０３を分割するブロック数が増大しても、フリッカ等のない良好な表示画像を実現することができる。
【００７６】
この実施例では、垂直走査方向の非表示領域９０１および９０３を１０ブロックに分割し、１０回の垂直帰線期間で非表示領域９０１および９０３の各水平画素ラインに非表示データ（ＶB）を書き込むように構成したが、一度に非表示領域９０１および９０３を構成する全ての水平画素ラインを選択しても良いことは言うまでもない。
【００７７】
また、一水平画素ライン中に非表示データ（ＶB）を書き込む場合も、上述したと同様である。
【００７８】
上述したように、液晶表示装置１０１の水平画素ライン数あるいは一水平画素ラインを構成する表示画素数よりも映像信号ＶＳの有効走査線数および映像データＶＤ数が少ない場合、図１に示す液晶プロジェクタ１によれば、スクリーン４１上には、例えは図９に示すように表示領域７００と非表示領域９０１、９０３、９０５、９０７とがそれぞれ表示されることとなる。
【００７９】
このような場合、液晶プロジェクタ１の投射レンズ３１の拡大率を、映像信号ＶＳの有効走査線数あるいは有効映像データＶＤ数の減少数を自動的に検出し、検出結果に基づいて液晶プロジェクタ１の投射レンズ３１の拡大率を増大させるよう構成すれば、映像信号ＶＳの有効走査線数あるいは有効映像データＶＤ数が変動しても、常にスクリーン４１上には略一定の大きさの表示領域７００が構成される。
【００８０】
以上のように、この実施例の液晶表示装置１０１によれば、入力されるディジタル数値信号SA1-SA20，DA1-DA18に対応して各走査線161および各映像データ選択用のアナログスイッチ343aが選択される。従って、この実施例の液晶表示装置101によれば、上述した如く走査線161および映像データ選択用のアナログスイッチ343aが順次選択されるだけではなく、数値信号線２１２ａ,３１２ａに印加されるディジタル数値信号SA1-SA20，DA1-DA18により任意の走査線161および映像データ選択用のアナログスイッチ343aを選択することができる。
【００８１】
これにより、この実施例の液晶プロジェクタ１によれば、水平画素ライン数と映像信号ＶＳの有効走査線数とが異なる場合であっても、また一水平画素ラインを構成する表示画素数と一有効走査線を構成する映像データＶＤ数とが異なる場合であっても、表示画面中の任意の位置に表示領域および非表示領域を構成することができる。
【００８２】
さらに、この実施例の液晶プロジェクタ１によれば、水平画素ライン数と映像信号ＶＳの有効走査線数とが大きく異なる場合であっても、また一水平画素ラインを構成する表示画素数と一有効走査線を構成する映像データＶＤ数とが大きく異なる場合であっても、非表示領域の水平画素ラインを複数の垂直帰線期間に分割して走査する、あるいは非表示領域の表示画素に複数の垂直走査期間の水平帰線期間に分割して非表示データＶＢを印加することにより、表示画面中の任意の位置に表示領域および非表示領域を構成することができる。
【００８３】
従って、この実施例では、上述したように表示領域を表示画面の略中央に配置させる例を示したが、本発明はこれに限定されるものではなく、ディジタル数値信号ＳＡ１−ＳＡ１０，ＤＡ１−ＤＡ９の制御により任意の位置に表示領域を配置させることや、あるいはマルチ画面等にも対応することができる。
【００８４】
さらに、ディジタル数値信号ＳＡ１−ＳＡ１０，ＤＡ１−ＤＡ９の増加減少のさせかたによっては、任意の順序で各走査線１６１および各映像データ選択用のアナログスイッチ343aを選択することもできる。例えば、この実施例の液晶プロジェクタ１は略同様の３枚の液晶表示装置101,501,601によって構成されていることは上述した通りであるが、図１からもわかるように液晶表示装置501のみ透過した映像の反転回数が奇数回となるため、他の液晶表示装置101,601とは映像データ選択用のアナログスイッチ343aの選択順序あるいは走査線161の選択順序が他と異なる構成とする必要がある。しかしながら、この実施例によれば液晶表示装置501に入力されるディジタル数値信号のみ順次減算されるディジタル数値信号を出力するカウンタ回路に接続するだけで、３枚共通の液晶表示装置101,501,601を用いることが可能となる。尚、このような場合、各液晶表示装置101,501,601の表示画素形状を、透過光が反転されてもその形状が略等しくなるように構成しておくとよい。
【００８５】
また、この実施例によれば、表示画像をミラー反転させることも可能であることから、液晶プロジェクタ１からの表示画像を透過型のスクリーン状に表示させる場合と、反射型のスクリーン状に表示させる場合とが、カウンタあるいはＲＯＭ等からのデジタル数値信号ＳＡ１−ＳＡ１０、ＤＡ１−ＤＡ９の設定によって容易に切り換えことができる。
【００８６】
この実施例では、走査線駆動回路201aを動作させるための入力数値信号SA1-SA20を１０ビット、映像信号線駆動回路301aを動作させるための入力数値信号DA1-DA18を９ビットで構成したが、例えば走査線駆動回路201aではマトリクス配線部213aにおける接続の組み合わせにより制御可能な最大の走査線161数は１０２４となる。
【００８７】
しかしながら、この実施例では、マトリクス配線部213aと各走査線161との間には走査選択回路部221aを設けることにより、各種駆動を可能にしていると共に、不要に入力数値信号（SA1-SA20）のビット数を増大させることなく１０３５の走査線161の制御を可能としている。
【００８８】
勿論、入力数値信号のビット数を増やすことにより対応しても良いし、逆に映像信号線163または走査線161の数が少ない場合には、入力数値信号のビット数を減らすこともできる。
【００８９】
また、上述の実施例では、図２に示すように走査線駆動回路201a,201bおよび映像信号線駆動回路301a,301bを基板113上に一体的に形成することにより接続の煩わしさを解消する場合を示したが、個別ＩＣ等を用いた外付け回路としても良い。
【００９０】
尚、本実施例の液晶表示装置101における走査線駆動回路201a,201bおよび映像信号線駆動回路301a,301bのいずれか一方を、または一組の駆動回路201a,201b,301a,301bの一方を従来のように複数段のシフトレジスタで構成しても良いし、両側の走査線駆動回路201a,201bでマトリクス配線部213aにおける数値信号線２１２ａと論理回路部215aとの接続形態を異ならしめておいても良い。
【００９１】
また、この実施例では、偏光板が不要であるなどの理由により光利用効率を大幅に高めることができる高分子分散型液晶が用いられた場合について説明したが、これに限定されるものではなく従来公知の各種液晶材料を用いることができる。
【００９２】
例えば、各液晶表示装置101,501,601として、図示しないが、画素電極と共通電極との間に、電極間で液晶分子が９０゜ねじれるよう配向膜を介して正の誘電率異方性を有するネマチック液晶を保持させ、基板外表面にそれぞれ偏光軸が配向軸と一致するよう偏光板を配置して構成すれば良い。
【００９３】
このようにして、図１０に示すように、画素電極と共通電極との間の電位差が０Ｖの状態で透過率が最大となり、電位差が大きくなるにつれて透過率が低下する、いわゆるノーマリー・ホワイトモードの液晶表示装置101,501,601が構成される。
【００９４】
このようにして構成されるノーマリー・ホワイトモードの液晶表示装置101,501,601が用いられた液晶プロジェクタ1によれば、図９に示す非表示領域９０１および９０３,905,907に非表示データＶＢを書き込む場合、図１０に示すように、通常の表示状態において取り得る画素電極と共通電極との間の電位差領域61外となる電位差領域63の駆動電圧を選定して用いることにより、非表示領域９０１および９０３,905,907を複数のブロックに分割し、複数の期間で表示を完了するような場合であっても、良好な黒表示が確保できる。
【００９５】
さらに、この実施例では３枚の液晶表示装置101,501,601で構成される液晶プロジェクタ1を例にとったが、１枚の液晶表示装置で構成しても良いことは言うまでもなく、また光学系としては種々の方式を採用してもかまわないし、直視型の液晶表示装置であっても良い。
【００９６】
また、この実施例では、表示素子として液晶画素を用いる場合を示したが、駆動電圧に対応して光透過率または光反射率が変化する表示素子や、駆動電圧により発光量が変化する表示素子等の光が変調できる素子が用いられる表示装置であれば本発明は有効に作用する。
【００９７】
さらに、この実施例はデジタル数値信号列の間に各数値信号変換回路が何の出力しない所定のデジタル数値信号、例えば全ビット”０”を挿入するように変更してもよい。この所定デジタル数値信号は出力パルスの重複を防止できるため、表示装置を安定に動作させることができる。
【産業上の利用可能性】
【００９８】
本発明の表示装置によれば、走査回路部あるいは映像信号供給回路部が選択制御回路部からの入力数値信号に基づいて選択出力する走査線数あるいは信号線数よりも少ない論理回路部により構成されているため、表示装置の高精細化に対しても、数値信号を伝達する配線数や論理回路部数の増大を抑え、製造歩留り良く製造できる。
【００９９】
また、本発明の表示装置の駆動方法によれば、表示パネルの水平画素ライン数と映像信号の有効走査線数、あるいは一水平画素ラインを構成する表示画素数と映像信号の映像データ数とが相違している場合であっても、例えば映像信号の有効走査線に対応しない少なくとも一水平画素ラインに非表示データを第１期間で表示すると共に、映像信号の有効走査線に対応しない他の水平画素ラインに非表示データを第１期間と異なる第２期間で表示する、あるいは映像データに対応しない少なくとも一表示画素に非表示データを第１期間で表示すると共に、映像データに対応しない他の表示画素に非表示データを第１期間と異なる第２期間で表示することにより、非表示領域には非表示データの表示が可能となる。
【０１００】
特に、表示装置の走査回路部あるいは映像信号供給回路部を選択制御回路部からの入力数値信号に基づいて選択出力する論理回路部により構成することで、上述の駆動方法を簡単な回路構成で容易に実現できる。
【図面の簡単な説明】
【０１０１】
【図１】本発明の一実施例に係る液晶プロジェクタの構成を概略的に示す図である。
【図２】図１に示す液晶表示装置の構成を概略的に示す図である。
【図３】図２に示す走査線駆動回路の構成を概略的に示す図である。
【図４】図２に示す走査線駆動回路の一駆動波形を示す図である。
【図５】図２に示す走査線駆動回路の他の駆動波形を示す図である。
【図６】図２に示す走査線駆動回路の他の駆動波形を示す図である。
【図７】図２に示す映像信号線駆動回路の構成を概略的に示す図である。
【図８】図２に示す映像信号線駆動回路の一駆動波形を示す図である。
【図９】図１に示す液晶プロジェクタによって表示される画像の一例を示す図である。
【図１０】図１に示す液晶表示装置の画素電極および共通電極間の電圧と透過率との関係を表す電圧−光透過率特性を示す図である。
【符号の説明】
【０１０２】
１６１…走査線、１６３…信号線、１６５…薄膜トランジスタ、１０１…表示パネル、２０１ａ…走査線駆動回路、２１３ａ…マトリクス配線部、２１５ａ…論理回路部、２２１ａ…走査選択回路部。
【図１】
2004163971.tif 000003
【図２】
2004163971.tif 000004
【図３】
2004163971.tif 000005
【図４】
2004163971.tif 000006
【図５】
2004163971.tif 000007
【図６】
2004163971.tif 000008
【図７】
2004163971.tif 000009
【図８】
2004163971.tif 000010
【図９】
2004163971.tif 000011
【図１０】
2004163971.tif 000012